(57)【要約】【課題】デザイン性を犠牲にすることなく、置き台に確実に載置されることができる携帯電子機器等を提案する。【解決手段】携帯電子機器１と携帯電子機器１を載置可能な載置部５３が形成された置き台５０との取付構造において、携帯電子機器１の外面２ｅに携帯電子機器１の一側面に背向する段差面２０ｓを有する段差部２０が形成され、載置部５３は、段差部２０を載置可能であると共に段差面２０ｓに対向する位置に携帯電子機器１と係合する係合突起５６を備える。 【選択図】図４
2007258921.tif 000002
【特許請求の範囲】
【請求項１】
筐体の外面側が置き台に載置される携帯電子機器であって、
前記筐体の外面に該筐体の一側面に背向する段差面が形成され、該段差面に前記置き台に設けられた第一係合突起と係合する第一係合受部が配置されることを特徴とする携帯電子機器。
【請求項２】
前記外面は、前記段差面に連なる段差上面と段差底面を有し、該段差底面に受発光部と情報入出力部と充電端子とのうち少なくとも一つが配置されることを特徴とする請求項１に記載の携帯電子機器。
【請求項３】
前記筐体にヒンジ部を介して第二筐体が開閉可能に連結され、
開状態時において前記第二筐体の一部が前記段差底面側に位置することを特徴とする請求項１又は請求項２に記載の携帯電子機器。
【請求項４】
前記筐体における前記段差上面の内側にバッテリが配置されていることを特徴とする請求項１から請求項３のうちいずれか一項に記載の携帯電子機器。
【請求項５】
携帯電子機器の一側面と係合する第二係合突起と、前記一側面に背向する面に係合する第三係合突起とを有する置き台において、
段差部が形成された前記携帯電子機器を載置可能な載置部を備え、
前記載置部における前記段差部と対向する位置に前記第三係合突起を配置したことを特徴とする置き台。
【請求項６】
前記載置部を形成する壁部の上面に、前記携帯電子機器に設けられた充電端子に接合する給電端子が配置されることを特徴とする請求項５に記載の置き台。
【請求項７】
携帯電子機器と該携帯電子機器が載置可能な載置部が形成された置き台との取付構造において、
前記携帯電子機器の外面に該携帯電子機器の一側面に背向する段差面を有する段差部が形成され、
前記載置部は、前記段差部を載置可能であると共に前記段差面に対向する位置に前記携帯電子機器と係合する第四係合突起を備えることを特徴とする取付構造。
【請求項８】
前記携帯電子機器は、前記一側面に前記第二係合受部が配置され、
前記置き台は、前記載置部における前記一側面に対向する位置に前記第二係合受部と係合する第五係合突起が配置されることを特徴とする請求項７に記載の取付構造。
【請求項９】
前記携帯電子機器は、前記置き台に載置される第一筐体と、該第一筐体の一端部においてヒンジ部を介して開閉可能に連結されると共に開状態時において一部が前記第一筐体の外面側に位置する第二筐体とを有して構成され、
前記置き台は、前記第一筐体を載置した状態において、開状態時における前記第二筐体と干渉しないように形成されていることを特徴とする請求項７又は請求項８に記載の取付構造。
【発明の詳細な説明】
【技術分野】
【０００１】
本発明は、携帯電子機器、置き台及びこれらの取付構造に関する。
【背景技術】
【０００２】
携帯電話機やＰＨＳ等の移動通信機、ＰＤＡ（Personal Digital Assistant）或いはノート型パーソナルコンピュータのような携帯電子機器では、携帯電子機器を定期的に充電用置き台に載置して、内蔵されたバッテリを充電するものがある。この際、携帯電子機器に設けた充電端子と充電用置き台に設けた給電端子とを接触させることでバッテリの充電が行われる。
そして、充電端子と給電端子との接触不良を防止するために、携帯電子機器に凹形の係合受部を形成すると共にこの係合受部を充電用置き台の係合突起に係合させることで、携帯電子機器が充電用置き台に確実に載置される。
携帯電話機を充電する充電用置き台としては、例えば、携帯電話機を横置きにして載置するもの（特許文献１参照）や、縦置きにして載置する（特許文献２参照）がある。
【特許文献１】特開２００５−２８７１９８号公報
【特許文献２】特開２００５−３１８７３４号公報
【発明の開示】
【発明が解決しようとする課題】
【０００３】
しかしながら、特許文献１に記載された技術では、携帯電話機の長手方向の両端に設けた係合受部に充電用置き台の係合突起を係合させる必要から、充電用置き台が携帯電話機よりも大きくなってしまう。このため、携帯電話機の外面に係合受部を設けることにより、充電用置き台を小型化することも可能であるが、デザイン性を損なってしまうという問題がある。
また、特許文献２に記載された技術では、充電用置き台の小型化が図られているが、充電端子と給電端子との接触が不安定になりやすいという問題がある。
【０００４】
本発明は、上述した事情に鑑みてなされたもので、デザイン性を犠牲にすることなく、置き台に確実に載置されることができる携帯電子機器、取付構造を提案することを目的とする。また、小型であると共に、携帯電子機器を確実に載置することができる置き台、取付構造を提案することを目的とする。
【課題を解決するための手段】
【０００５】
本発明に係る携帯電子機器、置き台及びこれらの取付構造では、上記課題を解決するために以下の手段を採用した。
第一の発明は、筐体の外面側が置き台に載置される携帯電子機器であって、前記筐体の外面に該筐体の一側面に背向する段差面が形成され、該段差面に前記置き台に設けられた第一係合突起と係合する第一係合受部が配置されることを特徴とする。
【０００６】
また、前記外面は、前記段差面に連なる段差上面と段差底面を有し、該段差底面に受発光部と情報入出力部と充電端子とのうち少なくとも一つが配置されることを特徴とする。
また、前記筐体にヒンジ部を介して第二筐体が開閉可能に連結され、開状態時において前記第二筐体の一部が前記段差底面側に位置することを特徴とする。
また、前記筐体における前記段差上面の内側にバッテリが配置されていることを特徴とする。
【０００７】
第二の発明は、携帯電子機器の一側面と係合する第二係合突起と、前記一側面に背向する面に係合する第三係合突起とを有する置き台において、段差部が形成された前記携帯電子機器を載置可能な載置部を備え、前記載置部における前記段差部と対向する位置に前記第三係合突起を配置したことを特徴とする。
また、前記載置部を形成する壁部の上面に、前記携帯電子機器に設けられた充電端子に接合する給電端子が配置されることを特徴とする。
【０００８】
第三の発明は、携帯電子機器と該携帯電子機器がを載置可能な載置部が形成された置き台との取付構造において、前記携帯電子機器の外面に該携帯電子機器の一側面に背向する段差面を有する段差部が形成され、前記載置部は、前記段差部が載置可能であると共に前記段差面に対向する位置に前記携帯電子機器と係合する第四係合突起を備えることを特徴とする。
また、前記携帯電子機器は、前記一側面に前記第二係合受部が配置され、前記置き台は、前記載置部における前記一側面に対向する位置に前記第二係合受部と係合する第五係合突起が配置されることを特徴とする。
また、前記携帯電子機器は、前記置き台に載置される第一筐体と、該第一筐体の一端部においてヒンジ部を介して開閉可能に連結されると共に開状態時において一部が前記第一筐体の外面側に位置する第二筐体とを有して構成され、前記置き台は、前記第一筐体を載置した状態において、開状態時における前記第二筐体と干渉しないように形成されていることを特徴とする。
【発明の効果】
【０００９】
本発明によれば以下の効果を得ることができる。
筐体の外面に段差面が形成され、その段差面に置き台の第一係合突起と係合する第一係合受部が配置されるので、携帯電子機器のデザイン性（外観）を損なうことが殆どない。また、携帯電子機器の把持性及び操作性の向上を図ることができる。
【発明を実施するための最良の形態】
【００１０】
以下、本発明の携帯電子機器、置き台及びこれらの取付構造の実施形態について図を参照して説明する。
図１は、本発明の実施形態に係る携帯電話機１の概略構成を示す斜視図である。
携帯電話機１は、第一筐体２と、この第一筐体２の厚さ方向に重ね合わせ可能な第二筐体３と、これら２つの筐体２，３を相互に折り畳み（回転）自在に連結するヒンジ部５等と、を備えている。ヒンジ部５は、２つの筐体２，３の各基端部２ａ，３ａ同士を連結し、これにより、第一筐体２と第二筐体３とが開いた状態（以下、開状態という）において、第二筐体３の基端部３ａが第一筐体２の基端部２ａの外面２ｅ側に回り込むようになっている。
【００１１】
第一筐体２の内部には、通話キー、終話キー等の各種の押下操作可能な複数の操作キー１１を備えたキー操作部１０及び通話用のマイクロフォン８が設けられている。操作キー１１は、２つの筐体２，３を相互に重ね合わせた状態において第二筐体３に対向する第一筐体２の正面２ｃから外方に露出している。
マイクロフォン８は、基端部２ａとは反対側に位置する先端部２ｂに配されており、第一筐体２の正面２ｃから第一筐体２の内部空間に貫通する開口部２ｄを介して外方に露出している。
【００１２】
第一筐体２は、第一筐体２の正面２ｃ側を構成するフロントケース２ｆ及び外面２ｅ側を構成するリアケース２ｒを備えている。これらフロントケース２ｆ及びリアケース２ｒは、互いに第一筐体２の厚さ方向に結合可能となっている。そして、第一筐体２の内部には、キースイッチ、シールドケース、回路基板（いずれも不図示）及びバッテリ１８（図２参照）等が重ねて配されている。
【００１３】
第二筐体３には、各種情報を表示する表示領域１６を有するＬＣＤ（Liquid Crystal Display）或いはＥＬ（Electro Luminescence）ディスプレイ等からなる表示部１５、及び通話用のスピーカー７が設けられている。表示部１５の表示領域１６は、２つの筐体２，３を相互に重ね合わせた状態において第一筐体２に対向する第二筐体３の正面３ｃ側に露出している。スピーカー７は、基端部３ａとは反対側に位置する先端部３ｂに配されており、第二筐体３の正面３ｃから第二筐体３の内部空間に貫通する開口部３ｄを介して外方に露出している。
【００１４】
図２は、携帯電話機１の背面図及び側面図である。なお、図２は、第一筐体２と第二筐体３を折り畳んだ状態（以下、閉状態という）を示している。
第一筐体２は、先端部２ｂが基端部２ａよりも大きな厚みを有するように形成されている。そして、第一筐体２の外面２ｅのやや基端部２ａ側には、厚みが大きい先端部２ｂ側と厚みが小さい基端部２ａ側とを連結する段差部２０が配されている。
なお、外面２ｅのうち厚みが大きい先端部２ｂ側の面を段差上面２ｅａと、厚みが小さい基端部２ａ側の面を段差底面２ｅｂという。また、段差部２０の側面（後述する先端側面２ｐに背向する面）を段差面２０ｓという。
【００１５】
このように、第一筐体２の外面２ｅのやや基端部２ａ側に段差部２０を設けることにより、携帯電話機１の把持性及び操作性の向上が図られている。携帯電話機１を開いた状態で把持して操作する場合には、通常、親指を除く四本の指を第一筐体２の外面２ｅ側に廻し、その四本の指先（指の腹）と手のひらで第一筐体２の両側面を狭持する。そして、親指で第一筐体２の正面２ｃの操作キー１１を操作する。このとき、第一筐体２の外面２ｅのやや基端部２ａ側に段差部２０が形成されているので、この段差部２０に人差し指等を引っ掛けることができ、これにより、より携帯電話機１を強く把持することが可能となる。更に、親指による操作キー１１の操作も安定して行えるようになる。
【００１６】
また、第一筐体２の厚みの大きい先端部２ｂ側の内部、すなわち段差上面２ｅａの内側には、バッテリ１８が配置されている。先端部２ｂ側であれば、従来よりも厚みのあるバッテリを配置することが可能であるため、バッテリ１８の大容量化を容易に図ることができる。
また、厚みの小さい基端部２ａ側には、カメラ（受光部）２２、フラッシュ（発光部）２４及び充電端子２６が配されており、これらが段差底面２ｅｂから外方に露出している。段差底面２ｅｂにカメラ２２、フラッシュ２４及び充電端子２６を配するのは、これらの汚れや破損を防止するためである。つまり、携帯電話機１を床面等に置いたり落したりした場合であっても、これらが床面等に触れることがないので、これらの汚れや破損が防止される。
なお、段差底面２ｅｂには、カメラ２２、フラッシュ２４及び充電端子２６に限らず、例えば、赤外線送受信部（情報入出力部）等を露出させてもよい。これら受発光部、情報入出力部や充電端子等のように、その表面が汚れると十分な性能を発揮することができなくなってしまう装置、部材等を段差底面２ｅｂに配置した場合には、より好適に効果を得ることができる。
【００１７】
段差面２０ｓの略中央には、係合凹部（第一係合受部）３２が形成されている。この係合凹部３２は、携帯電話機１を後述する充電用置き台５０に載置した際に、充電用置き台５０に設けられた係合爪（第一係合突起、第三係合突起、第四係合突起）５６と係合する。また、携帯電話機１の第一筐体２の先端部２ｂ側の端面（図２に示される下端面）である先端側面２ｐにも、係合凹部３２と略同様な係合凹部（第二係合受部）３４が形成されており、充電用置き台５０に設けられた係合爪５８と係合するようになっている。
これら係合凹部３２，３４は、携帯電話機１の第一筐体２の正面２ｃ及び外面２ｅに対して略直交する面（先端側面２ｐ、段差面２０ｓ）に形成されているので、携帯電話機１のデザイン性（外観）を損なうことが殆どない。すなわち、正面２ｃや外面２ｅに比べて、先端側面２ｐや段差面２０ｓの面積は小さいので、このような領域に凹形に陥没した部位が存在しても目立たないからである。
【００１８】
図３は、本発明の実施形態に係る充電用置き台５０の概略構成を示す上面図及び側面図である。図４は、充電用置き台５０に携帯電話機１を載置した場合を示す図である。
充電用置き台５０は、携帯電話機１を載置してバッテリ１８の充電を行う装置であって、携帯電話機１を収容し載置する本体５２と、携帯電話機１の充電端子２６に接合する給電端子５４と、携帯電話機１の係合凹部３２，３４に係合する係合爪５６，５８等と、を備えている。
充電用置き台５０の本体５２は、上面視略矩形に形成された部材であって、その上面に、携帯電話機１の一部を収容して戴置可能な収容凹部（載置部）５３が形成されている。収容凹部５３は、開口側を互いに対向させた２つのコ字形壁部５３ａ，５３ｂから形成され、この２つのコ字形壁部５３ａ，５３ｂにより囲まれた空間に、携帯電話機１の第一筐体２の一部が収容されて載置されるようになっている。
コ字形壁部５３ａの内側壁の略中央には、携帯電話機１の第一筐体２の段差面２０ｓに形成された係合凹部３２に係合する係合爪５６が設けられている。また、コ字形壁部５３ａの上面の両端側には、第一筐体２の段差底面２ｅｂに露出して配置される充電端子２６に当接する給電端子５４が設けられている。
一方、コ字形壁部５３ｂの内側壁の略中央には、第一筐体２の先端側面２ｐに形成された係合凹部３４とに係合する係合爪（第二係合突起、第五係合突起）５８が設けられている。
【００１９】
図４（ａ）に示すように、充電用置き台５０に携帯電話機１を載置する場合には、充電用置き台５０の収容凹部５３に対して第一筐体２の段差上面２ｅａを対向させる。そして、第一筐体２のうち、大きな厚みを有する先端部２ｂ側を収容凹部５３に収容する。具体的には、まず、第一筐体２の先端部２ｂをコ字形壁部５３ｂの内側壁に押し当て、次いで、第一筐体２を収容凹部５３に向けて押し付ける。これにより、コ字形壁部５３ｂの内側壁に設けた係合爪５８が第一筐体２の先端側面２ｐに形成された係合凹部３４に係合し、次いで、コ字形壁部５３ａの内側壁に設けた係合爪５６が第一筐体２の段差面２０ｓに形成された係合凹部３２に係合する。
【００２０】
なお、係合爪５６，５８は、それぞれバネ機構（不図示）を備えており、携帯電話機１を充電用置き台５０に載置（第一筐体２の先端部２ｂ側を収容凹部５３に収容）する際には、係合爪５６，５８がコ字形壁部５３ａ，５３ｂ内に退避するようになっている。その一方で、携帯電話機１が収容凹部５３内に収容された場合には、第一筐体２の背向する二面（先端側面２ｐ，段差面２０ｓ）に形成された係合凹部３４，３２に係合して、携帯電話機１を充電用置き台５０にしっかりと保持することができる。また、係合爪５６，５８は、これらの面を押圧（狭持）するように構成されており、よりしっかりと保持することができる。
また、図４（ｂ）に示すように、携帯電話機１を充電用置き台５０に載置すると、コ字形壁部５３ａの上面に配置した給電端子５４が、第一筐体２の段差底面２ｅｂに露出する充電端子２６に当接するようになっている。この際、上述したように、携帯電話機１は充電用置き台５０にしっかりと保持されているので、給電端子５４と充電端子２６との接触が良好に保たれ、バッテリ１８の充電が確実に行われる。
【００２１】
なお、図４（ａ）に示すように、携帯電話機１を充電用置き台５０に載置した際に、第一筐体２と第二筐体３を開状態にしたとしても、第二筐体３の基端部３ａが充電用置き台５０（コ字形壁部５３ａ）に干渉しないようになっている。第一筐体２と第二筐体３とを開状態にした場合には、第二筐体３の基端部３ａが第一筐体２の基端部２ａの外面２ｅ側に回り込むが、第一筐体２の段差部２０と第二筐体３の基端部３ａとの間の空間に、コ字形壁部５３ａが収まるような大きさに形成されているので、第二筐体３の基端部３ａとコ字形壁部５３ａとの干渉が回避される。
これにより、携帯電話機１を充電用置き台５０に載置した状態で、第一筐体２と第二筐体３を開状態にして、第二筐体３の表示部１５に各種情報を表示させる等の操作を行うことが可能となっている。
【００２２】
以上説明したように、携帯電話機１では、第一筐体２の外面２ｅのやや基端部２ａ側に、段差面２０ｓを有する段差部２０を配したので、携帯電話機１の把持性及び操作性が向上する。そして、この段差面２０ｓに充電用置き台５０の係合爪５６に係合する係合凹部３４を形成したので、充電用置き台５０の小型化を図ることができる。
また、充電用置き台５０の係合爪５６，６４に係合する係合凹部３２，３４を、正面２ｃや外面２ｅに比べて面積は小さい先端側面２ｐや段差面２０ｓに設けたので、携帯電話機１のデザイン性（外観）を損なうことが殆どない。
また、先端側面２ｐと段差面２０ｓとが背向する面であるため、充電用置き台５０の係合爪５６，６４によりしっかりと保持（挟持）される。これにより、携帯電話機１の充電端子２６と充電用置き台５０の給電端子５４との接触が良好に保たれる。
なお、携帯電話機１では、第一筐体２と第二筐体３とを開状態にして床面等に載置すると、第二筐体３の基端部３ａと第一筐体２の段差上面２ｅａの略全面とが床面等に同時に接するので、床面等に安定して載置することもできる。この場合、開状態での第二筐体３の基端部３ａの高さ位置と第一筐体２の段差上面２ｅａとの高さ位置とが略同一となるように構成されるのが好ましい。
【００２３】
上述した実施形態において示した各構成部材の諸形状や組み合わせ等は一例であって、本発明の主旨から逸脱しない範囲において設計要求等に基づき種々変更可能である。
【００２４】
例えば、上述した実施形態では、携帯電話機１について説明したが、これに限らない。本発明は、ＰＤＡ（Personal Digital Assistants）、デジタルカメラ、デジタルビデオカメラ、ノート型パーソナルコンピュータ等の携行可能な携帯電子機器に対して適用することができる。
【００２５】
置き台５０としては、携帯電子機器が内蔵するバッテリの充電を行う充電用置き台に限らない。携帯電話機、ＰＤＡ、デジタルカメラ、デジタルビデオカメラ及びノート型パーソナルコンピュータを載置することで、これらと電気的に接続して各種データを同期させたりするグレードル装置であってもよい。
【００２６】
また、上述した実施形態では、第一筐体２の段差底面２ｅｂにカメラ２２、フラッシュ２４及び充電端子２６の全てを配置した構成としたが、この段差底面２ｅｂにはこれらや赤外線送受信部のうちの少なくとも一つを配置するように構成してもよい。
また、上述した実施形態では、第一筐体２の先端側面２ｐに係合受部３４を配置した構成としたが、この係合受部３４を第一筐体２の先端部２ｂ側の幅方向側面に配置し、コ字形壁部５３ｂにこの係合受部３４に対向する位置に係合爪５８を配置するように構成してもよい。
また、上述した実施形態では、第一筐体２の段差面２０ｓに形成される係合凹部３２が段差面２０ｓの略中央に配置した構成としたが、この係合凹部３２を段差面２０ｓの略中央以外の部位に配置するように構成してもよい。
また、上述した実施形態では、第一筐体２側に係合凹部３２，３４を配置し、充電用置き台５０側に係合爪５６，５８を配置する構成としたが、充電用置き台５０側に係合凹部を配置し、第一筐体２側にこの係合凹部と係合する係合爪等の係合突起を配置する構成としてもよい。
【図面の簡単な説明】
【００２７】
【図１】本発明の実施形態に係る携帯電話機１の概略構成を示す斜視図である。
【図２】携帯電話機１の背面図及び側面図である。
【図３】本発明の実施形態に係る充電用置き台５０の概略構成を示す上面図及び側面図である。
【図４】充電用置き台５０に携帯電話機１を載置した場合を示す図である。
【符号の説明】
【００２８】
１…携帯電話機（携帯電子機器）
２…第一筐体（筐体）
２ａ…基端部
２ｂ…先端部
２ｃ…正面
２ｅ…外面
２ｅａ…段差上面
２ｅｂ…段差底面
２ｐ…先端側面（一側面）
３…第二筐体
３ａ…基端部（第二筐体の一部）
３ｂ…先端部
５…ヒンジ部
１８…バッテリ
２０…段差部
２０ｓ…段差面
２２…カメラ（受発光部）
２４…フラッシュ（受発光部）
２６…充電端子
３２…係合凹部（第一係合受部）
３４…係合凹部（第二係合受部）
５０…充電用置き台（置き台）
５３…収容凹部（載置部）
５３ａ…コ字形壁部
５３ｂ…コ字形壁部
５４…給電端子
５６…係合爪（第一係合突起、第三係合突起、第四係合突起）
５８…係合爪（第二係合突起、第五係合突起）
【図１】
2007258921.tif 000003
【図２】
2007258921.tif 000004
【図３】
2007258921.tif 000005
【図４】
2007258921.tif 000006